(57)【特許請求の範囲】
【請求項１】
透過照明文字板と、
該透過照明文字板の表面に重ね合わされ該透過照明文字板の外周部をリング状に発光表示する照明導光部材と、
該透過照明文字板及び指針を照明し、前記照明導光部材をリング状に発光表示する照明光源を、備えた車両用計器であって、
前記照明導光部材には、円孔が中央部に形成されると共に、
該照明導光部材の円孔の内周縁には、計器の前方へ略直角に起立し、照明光源から受光した光を前記車両用計器の表面の前方側へ放射するリング状の発光表示縁が、該照明導光部材と一体に形成され、
該照明導光部材の背面が、前記透過照明文字板の外周部であって文字、目盛が表示された領域の外側において該透過照明文字板と重なり合う平らな受光面をなすと共に、
該照明導光部材の外周端面が、前記照明光源から受光した光を前記発光表示縁の方向へ反射せしめるように傾斜した反射面をなし、
さらに、該照明導光部材のリング状の発光表示縁部であって前記文字板との接合面に、前記照明光源から受光した光を該発光表示縁の方向に反射する反射面が形成され、前記照明光源による発光の一部で、前記照明導光部材の発光表示縁をリング状に発光表示させることを特徴とする車両用計器。
【発明の詳細な説明】
【０００１】
【発明の属する技術分野】
本発明は、計器文字板の周囲をリング状の照明導光部材により発光表示させることができる車両用計器であって、特にそのリング状照明導光部材の専用光源を用いることなく、しかも高い輝度効率でリング状照明導光部材を照明することができるように構成した車両用計器に関するものである。
【０００２】
【従来の技術】
例えば自動車に設備使用されるアナログ式車両用計器の文字板（表示板）の立体的表示意匠を高めさらには視認性を高めるために工夫された計器装置として特開平９−２８７９８０号公報で開示されているものがある。この計器装置は、図７、図８で示すように各透過照明文字板１の周縁部に、その計器文字板１の表面より前方に突出形成されるリング状の照明部材２を設け、さらに上記透過照明文字板１の照明は、その透過照明文字板１の背後に配置せしめた冷陰極管３を点灯することにより透過照明されるように構成されており、またリング状照明部材２は、環状の導光体で形成されており、この導光体の背後でその環状導光体のリング方向に沿って配置せしめている複数の照明灯４を点灯することにより、そのリング状照明部の前縁が環状に発光表示させることができ、それら透過照明文字板１及びリング状照明部材２を照明することで透過照明文字板１による透過光表示像が、リング状照明部材２によるリング状照明と相俟って立体的に浮上するように視認される構成のものである。
【０００３】
【発明が解決しようとする課題】
ところが上記従来の計器装置においては透過照明文字板１を透過照明するための光源と、リング状照明部材２を発光表示せしめるための光源とは、それぞれの別光源となっていることから、リング状照明部材２を照明する専用の光源を多数個配設使用しなければならず、これが原因で光源配置スペースの確保及び多数個の電球が必要となるばかりでなく消費電力が増大する等の問題点が生じている。
【０００４】
またリング状照明部材２の光入射面形状は、そのリング状照明部材２の肉厚と略等しい細幅のエッジ面となっているために、そのリング状照明部材２における光導入効率が低く、このために光源の輝度を上げるかもしくは多数個の光源数を増量しなければ十分な発光輝度が得られない等の問題点があった。
【０００５】
本発明はかかる従来例の問題点に鑑みてなされたもので、透過照明文字板と、該透過照明文字板の表面に重ね合わされ該透過照明文字板の外周部をリング状に発光表示する照明導光部材と、該透過照明文字板及び指針を照明し、前記照明導光部材をリング状に発光表示する照明光源を、備えた車両用計器であって、上記文字板の透過照明に用いる光源と、リング状照明部材を発光表示せしめるに用いる光源とを共用できるようにして、車両用計器内に配置する光源の使用数を削減して組付け経済性、及び電力消費の経済性を高めることを第１の目的とする。
【０００６】
また本発明でリング状の照明導光部材の受光面積を拡張せしめて、リング状の照明導光部材の受光効率を高め、これによりリング状照明導光部材の輝度効率を高めることを第２の目的とする。
【０００７】
【課題を解決するための手段】
上記第１の目的及び第２の目的を達成するために、本発明の請求項１では、透過照明文字板と、該透過照明文字板の表面に重ね合わされ該透過照明文字板の外周部をリング状に発光表示する照明導光部材と、該透過照明文字板及び指針を照明し、前記照明導光部材をリング状に発光表示する照明光源を、備えた車両用計器であって、前記照明導光部材には、円孔が中央部に形成されると共に、該照明導光部材の円孔の内周縁には、計器の前方へ略直角に起立し、照明光源から受光した光を前記車両用計器の表面の前方側へ放射するリング状の発光表示縁が、該照明導光部材と一体に形成され、該照明導光部材の背面が、前記透過照明文字板の外周部であって文字、目盛が表示された領域の外側において該透過照明文字板と重なり合う平らな受光面をなすと共に、該照明導光部材の外周端面が、前記照明光源から受光した光を前記発光表示縁の方向へ反射せしめるように傾斜した反射面をなし、
さらに、該照明導光部材のリング状の発光表示縁部であって前記文字板との接合面に、前記照明光源から受光した光を該発光表示縁の方向に反射する反射面が形成され、前記照明光源による発光の一部で、前記照明導光部材の発光表示縁をリング状に発光表示させる車両用計器であることを特徴としている。
【０００８】
このような構成とすることで、透過照明文字板を透過照明すべき光源と、リング状照明導光部材を発光表示せしめるための光源を共用することができ、これによって車両用計器内に配設すべき光源の数を大幅に削減することができる。またリング状照明導光部材の受光効率を高め発光輝度効率を高めることができる。
【００１１】
【発明の実施の形態】
以下に本発明を図面に示す実施の形態に基いて詳細に説明する。
【００１２】
図１及び図２において、１１は自動車の運転席前方に設備されるコンビネーション計器の計器ケースを示し、この計器ケース１１はロアケース１２とアッパケース１３とで構成される。ロアケース１２の背面には、リジット回路基板１４が取付けられるものであって、このリジット回路基板１４には、計器ムーブメント１５及び複数（図２で示す実施の形態では５個）の照明用電球１６及び不図示の計器制御回路等が設けられている。１７はリジット回路基板１４の背面に被着されたバックカバーを示す。
【００１３】
１８は上記電球１６の照明により透過照明される文字及び目盛１９を施してなる透過照明文字板である。さらに詳細に文字板１８について説明すると、透光性基板に文字及び目盛を形成する部分のみ残し、他の部分は、遮光性の塗料により印刷を行い、電球１６の光を文字及び目盛部のみ透過させ認識させている。尚、この透過照明文字板１８の外周部は遮光印刷が施されておらず透光可能な透明部分となっており、この透明な外周部表面には、環状に形成されているリング形状の照明導光部材２０が重ね合せられている。このリング形状の照明導光部材２０は、例えばアクリル、ポリカーボネート、スチロール、塩化ビニール等の樹脂に、例えば赤色、オレンヂ、緑等の有色又は無色である蛍光染料又は蛍光顔料である蛍光物質を混合してなる着色又は透明の透過性材料で形成されている。
【００１４】
このリング形状の照明導光部材２０の内周縁形状は、上記透過照明文字板１８に施されている文字及び目盛の上に重ならない内径寸法の円形に形成されており、さらに該照明導光部材２０の裏面、即ち透過照明文字板１８との重なり面は受光面２２に形成されている。
【００１５】
リング形状に形成されている上記照明導光部材２０の内周縁には、上記受光面２２に対して計器の前方向（表面側）へ略直角に起立するリング形状の発光表示縁２１が一体形成されており、この発光表示縁２１の背面には、発光表示縁２１の発光輝度を高めるための反射面２３が、白色塗装により施されている。さらに上記照明導光部材２０の外周縁端面には、受光面２２で受光した光を発光表示縁２１方向へ反射せしめるための傾斜角４５度の反射面２４に形成されている。
【００１６】
２５はアッパケース１３の裏側で突設されている複数の係止爪であって、該アッパケース１３をロアケース１２の前面に取付けるとき、ロアケース１２の前面を被せるようにして配置した透過照明文字板１８及び照明導光部材２０をアッパケース１３で挟むようにして、その係止爪２５を照明導光部材２０及び透過照明文字板１８に設けられている透孔を貫通させて、アッパケース１３と照明導光部材２０及び透過照明文字板１８を一体に結合させ、さらにそのアッパケース１３を係止片２６と係止孔２７との係止作用でアッパケース１３をロアケース１２に止着することで計器が組立てられる。
【００１７】
２８は、透過照明文字板１８の中心軸孔を貫通する指針軸２９の先端に取付けられて透過照明文字板１８の表面に沿って回動する指針、３０は、照明用電球１６による光の一部を指針２８へ導光して、その指針２８を発光表示せしめるための導光体、３１はアッパケース１３の前面開口部に被着された暗色系半透明パネルよりなるフロントカバーを示す。
【００１８】
なお上記照明導光部材２０の受光面２２は、透明に形成されていて、該透明なる受光面２２より照明導光部材２０の内部に向けて導光されるようになっているが、この受光面２２には、上記リング形状の発光表示縁２１の全長に亘って発光輝度が均一となるようにするための調光手段、例えば部分的黒塗装又は網点の集合等による調光印刷層３４を設けるようにしてもよい。
【００１９】
また上記実施の形態では、リング形状の照明導光部材２０の内周縁に、フランジ（突条形状）の発光表示縁を形成しているが、この発光表示縁は突条形状に限られるものではなく、例えば図６（イ）で示すように、照明導光部材２０の内周縁に、受光面２２に対し４５度の傾斜面を形成し、その傾斜面を発光表示縁３２の一部となし、さらに発光表示縁部の背面で、文字板との接合面に発光表示縁３２の発光輝度を高めるための白色塗装層３３を設けるようにしてもよい。
また、図６（ロ）で示すように、照明導光部材２０の内周縁に受光面２２に対し１３５度の傾斜面を形成し、その前方側端部を発光表示縁３２となし、さらに上記１３５度の傾斜面に発光表示縁３２の発光輝度を高めるための白色塗装層３３を設けるようにしてもよい。
【００２０】
以上が実施の形態であるが、次にその作用について述べる。図１で示すように組合せられた車両用計器において、計器ケース１１の内部で配置されている複数の照明用電球１６を点灯すると、この照明灯１６から発する光の一部は透過照明文字板１８の裏面に照射されて透過照明文字板１８が透過照明される。また照明用電球１６から発する光の他部は、導光体３０に入射し、この導光体３０を経て指針２８が発光表示される。
【００２１】
上記透過照明文字板１８の背面に照射された光の一部は、該透過照明文字板１８の外周部に形成されている透光部分を透して照明導光部材２０の受光面２２に入射する。該受光面２２で照明導光部材２０内に入射された光は、反射面２４及び反射面２３を経て、リング形状の発光表示縁２１が発光表示される。
【００２２】
このようにして計器ケース１１内に配置されている複数個の照明用電球１６を点灯することで、この照明用電球１６の光で透過照明文字板１８の透過照明と、指針２８の発光表示及び透過照明文字板１８の周辺に位置されるリング状の発光表示縁２１を発光表示させることができる。従って、本実施の形態では透過照明文字板１８及び指針２８を照明するに配設されている光源（照明用電球１６）でリング状に形成されている導光部材２０の発光表示縁２１を発光表示させることができるもので、従来例のようにリング状の照明部材を発光表示せしめるための専用光源を必要とせずこのため、光源の配置数が削減できる。
【００２３】
また本実施の形態では、照明導光部材２０の受光面２２が照明用電球１６による照射方向に対して交叉方向に位置する受光平面に形成して、その受光面積が大となるように確保していることから、該受光面２２による受光量を増大させることができ、これにより発光表示縁２１又は３２の発光輝度を高めることができる。
【００２４】
【発明の効果】
以上のように本発明の車両用計器によれば、透過照明文字板１８の外周部に位置されるリング状発光表示縁を発光表示せしめるための光源として透過照明文字板１８及び指針２８を照明する光源（電球）を兼用することができ、これによって計器ケース内に配設すべき光源の使用数を最少限にとどめることができリング状発光表示縁を具有する車両用計器の製作経済性が高められると共に消費電力の省力化にも役立てることができる。
【００２５】
また本発明によれば、照明導光部材２０の受光面形状を、その受光面積が大きく確保できるように平面形状となしていることから照明導光部材２０の受光効率が高められ、これによって発光表示縁における発光輝度効率が高められる。
また本発明によれば上記発光表示縁を着色光表示させることも可能で美観性を高めることができる。
【図面の簡単な説明】
【図１】本発明よりなる車両用計器の実施の形態を示す側断面図。
【図２】本発明よりなる車両用計器の実施の形態を示す要部正面図。
【図３】図１における要部拡大断面図。
【図４】本発明よりなる車両用計器に使用される照明導光部材のみの正面図。
【図５】本発明よりなる車両用計器に使用される照明導光部材のみの背面図。
【図６】リング状照明部材を備えたコンビネーションメータの説明図。
【図７】リング状照明部材を備えた従来の計器装置を示す説明図。
【図１】
0003987667.tif 000002
【図２】
0003987667.tif 000003
【図３】
0003987667.tif 000004
【図４】
0003987667.tif 000005
【図５】
0003987667.tif 000006
【図６】
0003987667.tif 000007
【図７】
0003987667.tif 000008